(57)【要約】【課題】特殊なデザイン糸を用い軽くて薄い多重ガーゼを強張らせることなく、さらにはより大きなフワフワ感を持たせて多重ガーゼデザイン織物を提供する。【解決手段】ジャカード織機を用いてガーゼ構成糸たるタテ糸及びヨコ糸を交互に絡めつつ複層の多重ガーゼを織成するに際し、前記タテ糸又は及びヨコ糸中に、前記ガーゼ構成糸とは異なる第３のデザイン糸類を混入し、前記ガーゼ構成糸によりガーゼ組織を織りつつ前記第３のデザイン糸類を前記多層ガーゼの表面又は中間或いは裏面等任意の位置に織り込んで配置してゆき、前記ガーゼの表面又は裏面に現われた前記第３のデザイン糸類による模様又は色彩、或いは層を介して見える前記デザイン糸類のすかしによりデザイン織りする。【選択図】      図1
2006299442.tif 000002
【特許請求の範囲】
【請求項１】
ジャカード織機を用いてガーゼ構成糸たるタテ糸及びヨコ糸を交互に絡めつつ複層の多重ガーゼを織成するに際し、
前記タテ糸又は及びヨコ糸中に、前記ガーゼ構成糸とは異なる第３のデザイン糸類を混入し、
前記ガーゼ構成糸によりガーゼ組織を織りつつ前記第３のデザイン糸類を前記多層ガーゼの表面又は中間或いは裏面等任意の位置に織り込んで配置してゆき、
前記ガーゼの表面又は裏面に現われた前記第３のデザイン糸類による点状又は線状の模様又は色彩、或いは層を介して見えるこれらデザイン糸類のすかしによりデザイン織りすることを特徴とする多重ガーゼのデザイン織成方法。
【請求項２】
前記デザイン糸類は複数本の糸を束ねた不撚の束糸であり、１又は複数の束糸をセットにして1本のデザイン糸として取扱うことを特徴とする請求項１記載の多重ガーゼのデザイン織成方法。
【請求項３】
前記構成糸は白色であり、前記デザイン糸類は黒色の糸であり、かつ一方又は他方に伸縮性のある糸であることを特徴とする請求項１記載の多重ガーゼのデザイン織成方法。
【請求項４】
前記多重ガーゼの層数は３以上であり、中間層に色の付いたデザイン糸類が用いられることを特徴とする請求項１記載の多重ガーゼのデザイン織成方法。
【請求項５】
前記多重ガーゼの層数は２であり、その層間に前記デザイン糸類として玉飾りをした特殊糸が用いられることを特徴とする請求項１記載の多重ガーゼのデザイン織成方法。
【発明の詳細な説明】
【技術分野】
【０００１】
本発明は、ガーゼの構成糸とは別にデザイン化のための第３のデザイン糸類を用いて多重ガーゼをデザインするようにした多重ガーゼのデザイン織成方法に関する。
【背景技術】
【０００２】
従来より、ジャカード織機を用いて一般的な多重ガーゼや特開平１１−３５０３００号公報（二重タオル織物及びその織成方法）に見られるようなタオルとガーゼの組合せ商品等を織成することが行われていた。
【０００３】
一方で、例えば特許公開平１１−３２３６９３（ジャカード織多重ガーゼ織物）に示されるように、多重ガーゼをデザインすべく、ガーゼの構成糸中に色糸を用い、この色糸をジャカード制御することで模様や色彩を出しデザイン化することが行われていた。
【０００４】
しかしながら、従来よりの色糸による多重ガーゼのデザインでは、色の異なるタテ糸又はヨコ糸を一平面又は多平面に出没させて花や動物、人形その他の図柄を表現しようというものであったため、デザイン化された部分が強張って、軽くて薄く、かつフワフワ感のあるガーゼ織物の特徴を失ってしまっているという欠点があった。
【０００５】
ガーゼはタオルと異なりパイルを出さないので、パイルによって図柄を出すことも不可能であり、フワフワ感のある多重ガーゼのデザイン出しには難点が多かった。
【特許文献１】特許公開平１１−３５０３００号公報、第１頁、図１
【特許文献２】特許公開平１１−３２３６９３号公報、第１頁、図１
【発明の開示】
【発明が解決しようとする課題】
【０００６】
本発明は、従来の図柄表現によるデザインがガーゼの最大特徴であるフワフワ感を阻害してしまっている実情に鑑みて、本来ガーゼが有する軽くて薄く、特にフワフワ感を阻害せず、さらにはフワフワ感を増加させることまでができる多重ガーゼのデザイン織成方法を提供することを目的とする。
【課題を解決するための手段】
【０００７】
本発明の多重ガーゼのデザイン織成方法は、ジャカード織機を用いてガーゼ構成糸たるタテ糸及びヨコ糸を交互に絡めつつ複層の多重ガーゼを織成するに際し、前記タテ糸又は及びヨコ糸中に、前記ガーゼ構成糸とは異なる第３のデザイン糸類を混入し、前記ガーゼ構成糸によりガーゼ組織を織りつつ前記第３のデザイン糸類を前記多層ガーゼの表面又は中間或いは裏面等任意の位置に織り込んで配置してゆき、前記ガーゼの表面又は裏面に現われた前記第３のデザイン糸類による点状又は線状の模様又は色彩、或いは層を介して見えるこれらデザイン糸類のすかしによりデザイン織りすることを特徴とする。
【０００８】
本発明のデザイン糸類としては、構成糸とは異なる色の糸で、見掛け比重の小さい太い糸、不撚の束ね糸、伸縮性のある糸、玉飾りをした特殊糸、色の付いた他のガーゼ組織等を用いることができる。
【０００９】
これら糸類の１又は複数を１本とし、多層ガーゼの表面又は中間或いは裏面に配置してゆくことで、直接又はすかしにより見える色によりデザインすることができる。すかしによる場合には、デザイン糸類として色の付いたガーゼそのものを用いることもできる。
【００１０】
一般には、デザイン糸類はタテ又はヨコ糸として用いることができるが、織成方向上で上下に移動し表面又は裏面に出没する形となるので、点状又は線状又はこれらの組合わせにより模様を作ることができる。本発明は、軽くて薄くフワフワ感のある多重ガーゼを目的としているので、素材重量を余りに拡大しないこと、表裏間の移動によって多重ガーゼを強張らせることがないようにすることが必要である。糸類の選択内容によってはフワフワ感をさらに増大させることができる。
【発明の効果】
【００１１】
本発明の多層ガーゼのデザイン織成方法では、ガーゼの構成糸とは別に混入したデザイン糸類をガーゼ組織の目の中に又はガーゼの層間に織り込んでデザインするので、ガーゼのフワフワ感を阻害することなくデザイン糸の通過線上に現われる点や線の集合によって多層ガーゼを任意にデザインすることができる。
【００１２】
デザイン糸類は、構成糸とは全く別個に第３の糸類として配置するので、ガーゼ組織を強張らせることがなくデザインすることができ、しかも見掛け比重の小さなデザイン糸類を用いること等により全体比重をさらに低下させて、フワフワ感を元の多重ガーゼより更に増加させることまでができる。
【００１３】
点や線の集合、あるいはすかしによってデザインするので、創作力豊かなデザインを施すことができ、デザイン豊かな多重ガーゼデザイン織物を提供できる。
【発明を実施するための最良の形態】
【００１４】
以下、添付図面を参照して本発明を実施するための最良の形態を説明する。図１及び図２は本発明を実施した多重ガーゼデザイン織物の一実施形態を示す立体図及び組織図である。図３以下は、その具体例を示す。
【００１５】
図１及び図２に示すように、本発明のデザイン織成方法では、図示しないジャカード織機を用いてガーゼ構成糸たるタテ糸１及びヨコ糸２を交互に絡めつつ複層（図示の例では２層）の多重ガーゼ３、４を織成する。本発明では、前記タテ糸１又は及びヨコ糸２中に、前記ガーゼ構成糸１、２とは異なる第３のデザイン糸類５を混入し、前記ガーゼ構成糸１、２により、ガーゼ組織を織りつつ前記第３のデザイン糸類５（５−１、５−２、５−３）を前記多層ガーゼ３、４の表面又は中間或いは裏面等任意の位置に織り込んで配置してゆき、前記多層ガーゼ３、４全体の表面又は裏面に現われた前記第３のデザイン糸５による模様又は色彩、或いは層を介して見える前記デザイン糸類５のすかしによりデザインする。
【００１６】
図１は図２のＦ１−Ｆ１断面図に相当する。ガーゼ組織の任意の位置（目）で、白丸印、黒丸印あるいは×印で示す各種デザイン糸類５−１、５−２、５−３を通過させ、任意の表面又は中間層内に配置し、点又は線状の模様及びその組合わせを呈示できる。図において、デザイン糸類５−１、５−２、５−３は赤、青、黄色等相互に異なる糸類５であるとする。性質が異なることもある。図２に示す組織図を表面側とすると、裏面側の組織図も類似のものとして示すことができるが、デザイン糸類５は適宜中間層に配置できるので、各デザイン糸類５の通過位置は図２のものとは全く異ならせることができる。
【００１７】
デザイン糸類５としては、複数本の糸を束ねた不撚の束糸とすることができる。これを２本１組として使用することもできる。構成糸の色とは異なる色糸を用いることもできる。見掛け比重の小さい大番手糸を用いることもできる。毛玉のような玉飾りの付いた特殊糸を用いることもできる。
【００１８】
これらデザイン糸類５を用いて、これをタテ方向、又はヨコ方向に通し、表平面と裏平面でつつみ隠したり、所々組織を縫って平面部分に表現させることができる。これにより、表平面と裏平面に無駄な組織を使用することなく、即ち組織通過後のデザイン糸を組織として反対面に出すことなく、つまりは組織を強張らせることなくデザインでき、その分軽く、薄い織物とすることができる。また、デザイン糸類の選択次第では、フワフワ感をさらに増大させることができる。
【００１９】
図３に示す具体例は、ガーゼ３、４の構成糸を例えばねずみ色とし、デザイン糸類を複数本の糸を束ねて作った束糸６の２本セット６Ｓ（白色）とし、構成糸の単位ピッチを１つずらせた２ラインＬ１、Ｌ２上に配列し、各セット糸６Ｓの表面への出現位置を構成糸の単位ピッチの複数倍の量βだけずらせて波状に表現したものである。より具体的な例で示すと、束糸６の直径は約１mm、α＝１０mm、β＝１mmである。２列Ｌ１、Ｌ２のヨコ方向での配置ピッチは例えば１５mmである。出現ヨコ方向ピッチは３５〜４０mmである。このようにして織成された多重ガーゼデザイン織物７は、表面に図示の通りの波状の模様が示され、簡素で審美性がある。そして、何よりも軽くて薄く、強張らず、フワフワ感がとても強い。重量で示すと、２重ガーゼにおいて、１ｍ2当り約１００ｇである。しかも、束糸６Ｓは毛糸の如く柔軟で見掛け比重が小さく、その多くの部分は中間層に含まれるので、ガーゼ全体にふっくら感を与え、全体としてさらに強いフワフワ感を出すことができる。
【００２０】
図４に示す多重ガーゼデザイン織物８は、図３のセット糸６Ｓを他の色のセット糸７Ｓと組み合わせてヨコ方向の列毎に交互に色を変えてデザインしたものである。
【００２１】
図３及び図４において、セット糸６Ｓ、７Ｓの出現部分の中間部は、裏面に出現しない部分についてはすかしにより薄く色が出る。すかしが出るか否かは場合による。従って、見栄えを重視するデザインにおいては、中間層に配置される色糸のすかしを考慮して適切なデザインが施されねばならない。
【００２２】
図５に示す多重ガーゼデザイン織物９は、白地のガーゼ３、４の中間に黒色糸１０を配置したもので、構成糸（タテ糸及びヨコ糸）１、２及びデザイン糸共に伸縮性のある糸を使ったものである。白色のガーゼの間に黒色糸１０がすかして見え、シンプルで衛生的なイメージが出る。少量の色糸を用いるだけであるので軽くて薄い。しかも伸縮糸を用いるのでフワフワ感は増大している。黒色糸１０は、全体を中間配置するだけでなく、部分的に表面に出現させても構わない。これら出没は任意に制御できる。
【００２３】
図６に示す多重ガーゼデザイン織物１０は、デザイン糸類として玉飾りをした特殊糸１１を用いたものである。糸本体１１aは、１本の色糸を含めて細い糸を綱んだ撚糸を用い、玉の部分１１ｂは複数個毎に色を異ならしめた毛玉のようなものが用いられている。図示のように、特殊糸１１をガーゼ３、４の層間に閉じ込めれば、ガーゼ３又は４の表面から糸の色及び玉の部分１１ｂの色が見えて綺麗にデザインできる。構成糸又は他の糸を用いて上下の層を相互に縫い付けることにより、特殊糸１１の層間でのずれを防止できる。
【００２４】
図７に示す多重ガーゼデザイン織物１２は、２重ガーゼ３、４の間にガーゼ風の布１３Ａ、１３Ｂを閉じ込めたものである。布１３Ａ、１３Ｂは、ガーゼ３、４に対し同時的に織成される。布１３Ａと１３Ｂは色が異なる。具体的にはガーゼ３、４の色を白とし、布１３Ａと１３Ｂは青又は黄混じりの糸を用いる等である。デザイン糸類を布状とすることにより、より柔軟にしてフワフワ感を出すことができる。また、色はすかして見えるようにするので上品な仕上りとなる。デザイン糸類として他の色糸を加えることもできる。
【００２５】
図８に示す多重ガーゼデザイン織物１４は、ガーゼ３、４の組織を適宜区間で変更したものである。即ち多重ガーゼ３、４は、区間Ａ１及びＡ２毎に組織を変えてガーゼ織りすることができる。デザイン糸５は、これら区間Ａ１、Ａ２に対して表面又は裏面或いは中間層に配置することができる。
【００２６】
図９、図１０に示す多重ガーゼデザイン織物１５（１５−１、１５−２）は、図１に示した２重ガーゼ３、４に相当する部分１５−１、１５−２の組織を特別に変化させ、ガーゼ本体の重量を最も軽く仕上げたものである。図９の各部は、図１０のＦ９−１及びＦ９−１、Ｆ９−２及びＦ９−２、Ｆ９−３及びＦ９−３、Ｆ９−４及びＦ９−４線に夫々沿った立体図で示す。図１０に示すように、井桁状の区間を定めて、ガーゼ織りの部分１６と、ヨコ糸又はタテ糸のみの部分１７、１８と、糸の無い部分（穴）１９とを組み合わせている。表裏面に夫々示した点Ｐ１、Ｐ２、Ｐ３は夫々同一点を示し、同一点を一致させて両者を重ね合わせた形で織成される。
【００２７】
表面側１５−１では、ガーゼ織りの部分１６を中心として、図において上下にはヨコ糸のみの部分１７、左右にはタテ糸のみの部分１８が接続され、かつ斜め放射位置に穴１９を配置した形となっている。また、裏面側のガーゼ１５−２では、表面側ガーゼ１５−１の穴１９の真下にガーゼ織りの部分１６が位置し、図において上下及び左右について表面側１５−１の場合と同一関係となっている。従って、表面側ガーゼ１５−１のタテ糸のみの部分１８は裏面側のヨコ糸のみの部分１７と重なる。よって、重ね合った全体では、ガーゼ織りの部分１６と穴１９が重なり、タテ糸のみの部分１８とヨコ糸のみの部分１７が相互に重なり、全体としては穴１９が開いていない形になる。穴１９の分だけ重量が小さく、かつガーゼ織りの部分を除いてタテ糸１又はヨコ糸２のみの重なりとなるので、通常２重ガーゼの凡そ１／２重量となる。しかも部分的に穴１９が開いており、かつガーゼ織りされていないタテ糸及びヨコ糸が重ねられて織成されているので極めて薄くて軽く、かつ柔軟にして大きなフワフワ感が出る。図示しないが、図９、図１０に示した多重ガーゼ１５についても、図１に示したデザイン糸５を用いてデザインすることができる。１又は複数の区画毎に１本のデザイン糸を通せば穴の有無によってデザイン糸が見え隠れし、優雅なデザインを織り成すことができる。
【００２８】
本発明は、上記実施形態に限定されるものではなく、本発明の要旨を逸脱しない範囲で適宜変形して実施することができ、各種態様で実施できる。
【図面の簡単な説明】
【００２９】
【図１】本発明の一実施形態に係る多重ガーゼ織物の立体図で、図２のＦ１−Ｆ１線に沿った断面図に相当する。
【図２】本発明の一実施形態に係る多重ガーゼ織物の組織図である。
【図３】図１及び図２で示した多重ガーゼ織物の具体的平面意匠図である。
【図４】他の具体例を示す平面意匠図である。
【図５】さらに他の具体例を示す平面意匠図である。
【図６】玉飾りの特殊糸を用いた具体例を示す立体図である。
【図７】層間に色の付いたガーゼを織り込んで、すかしによりデザインした具体例を示す立体図である。
【図８】ガーゼの組織変更を伴った場合の具体例を示す立体図である。
【図９】ガーゼの組織変更を各種可能であることを示す立体図である。
【図１０】図９に示す多重ガーゼデザイン織物の表面（a）及び裏面（ｂ）の組織を示す平面図（ｂ図については透視図となる）である。
【符号の説明】
【００３０】
１  タテ糸
２  ヨコ糸
３、４  ガーゼ
５（５−１、５−２、５−３）デザイン糸
６  束糸
６Ｓ、７Ｓ  セット糸
７、８、９、１０、１２、１４、１５（１５−１、１５−２）  多重ガーゼデザイン織物
１０  黒色糸
１１  玉飾りをした特殊糸
１１ａ  糸本体
１１ｂ  玉の部分
１３（１３Ａ、１３Ｂ）  布
１６  ガーゼ織りの部分
１７  タテ糸のみの部分
１８  ヨコ糸のみの部分
１９  糸なし部分（穴）
α  セット糸の出現長さ
β  セット糸のずらせ量
Ｐ１  セット糸のタテ方向配列ピッチ
Ｐ２  セット糸のヨコ方向配列出現間隔
Ｌ１、Ｌ２  セット糸の配列
Ａ１、Ａ２  組織変化の区間
【図１】
2006299442.tif 000003
【図２】
2006299442.tif 000004
【図３】
2006299442.tif 000005
【図４】
2006299442.tif 000006
【図５】
2006299442.tif 000007
【図６】
2006299442.tif 000008
【図７】
2006299442.tif 000009
【図８】
2006299442.tif 000010
【図９】
2006299442.tif 000011
【図１０】
2006299442.tif 000012